(57)【要約】【課題】本発明の目的は、従来の現像装置と比較してより簡素な構成により、現像槽内の現像剤の量を適切に維持することを可能とする現像装置及びこれを備えた画像形成装置を提供することである。【解決手段】現像装置４０は、循環槽５２、循環槽５４、循環槽５２に設けられた供給スクリュー４６を備えている。供給スクリュー４６における開口部６０よりも搬送方向上流側の羽根Ｗ１は、現像剤に対して搬送方向の力を付与する。供給スクリュー４６における開口部６０近傍には羽根が無い部分４６ｂが存在する。供給スクリュー４６における羽根が無い部分４６ｂに隣接し搬送方向下流側には、現像剤に対して搬送方向と逆方向の力を付与する羽根Ｗ２がある。排出口６６は循環槽５２において羽根Ｗ２よりも搬送方向下流側に位置する。循環槽５２において羽根Ｗ２よりも搬送方向下流側の領域は循環槽５４と連通していない。【選択図】図３
2016053669.tif 000002
【特許請求の範囲】
【請求項１】
トナーとキャリアからなる現像剤を用いて像担持体上の静電潜像を現像し、トナーの消費量に応じて現像剤を補給し、かつ、劣化した現像剤を排出する現像装置であって、
前記現像剤を搬送しつつ、該現像剤の一部を排出口から排出する第１の循環槽と、
前記第１の循環槽と隔壁で仕切られ、該隔壁に設けられた第１の開口部を通して該第１の循環槽から搬送される現像剤、及び補給口から補給された現像剤を該隔壁に設けられた第２の開口部を通して該第１の循環槽に搬送することで該第１の循環槽と循環経路を形成する第２の循環層と、
前記現像剤を搬送するために前記第１の循環槽に設けられた第１のスクリューと、
前記現像剤を搬送するために前記第２の循環槽に設けられた第２のスクリューと、
を備え、
前記第１のスクリューにおける前記第１の開口部より搬送方向上流側の羽根は、前記現像剤に対して搬送方向の力を付与し、
前記第１のスクリューにおける前記第１の開口部近傍には羽根のない部分が存在し、
前記第１のスクリューにおける前記羽根がない部分よりも搬送方向下流側であって、該羽根が無い部分と隣接する部分には、前記現像剤に対して搬送方向と逆方向の力を付与する羽根があり、
前記排出口は、前記第１の循環槽において、前記逆方向の力を付与する羽根よりも搬送方向下流側に位置し、
前記第１の循環槽における前記逆方向の力を付与する羽よりも搬送方向下流側の領域は、該搬送方向と直交する方向において前記第２の循環槽と連通していないこと、
を特徴とする現像装置。
【請求項２】
前記第１のスクリューにおける前記羽根がない部分の搬送方向の長さは、前記搬送方向の力を付与する羽根のピッチよりも小さいこと、
を特徴とする請求項１に記載の現像装置。
【請求項３】
前記第１の開口部は、前記第１の循環槽における搬送方向において、前記逆方向の力を付与する羽根の下流側の端部よりも上流側に位置していること、
を特徴とする請求項１又は請求項２に記載の現像装置。
【請求項４】
前記第１のスクリューにおける前記羽根がない部分の搬送方向における長さは、前記逆方向の力を付与する羽根のピッチの半分よりも大きいこと、
を特徴とする請求項１乃至請求項３のいずれかに記載の現像装置。
【請求項５】
前記第１のスクリューにおける前記現像剤に対して搬送方向の力を付与する羽根が設けられた部分のスクリュー径は、該第１のスクリューにおける該現像剤に対して搬送方向と逆方向の力を付与する羽根が設けられた部分のスクリュー径と同じであること、
を特徴とする請求項１乃至請求項４のいずれかに記載の現像装置。
【請求項６】
前記第１のスクリューにおける前記現像剤に対して搬送方向の力を付与する羽根が設けられた部分の搬送方向下流側の末端の位置は、前記第１の開口部における搬送方向の中点よりも上流側に位置していること、
を特徴とする請求項１乃至請求項５のいずれかに記載の現像装置。
【請求項７】
前記第１のスクリューにおける前記搬送方向の力を付与する羽根のピッチは、前記逆方向の力を付与する羽根のピッチよりも大きいこと、
を特徴とする請求項１乃至請求項６のいずれかに記載の現像装置。
【請求項８】
請求項１乃至請求項７のいずれかに記載の現像装置を備えること、
を特徴とする画像形成装置。
【発明の詳細な説明】
【技術分野】
【０００１】
本発明は、現像装置及び画像形成装置、特に、２成分現像剤を用い、該現像剤を随時補給及び排出する現像装置及び該現像装置を備える画像形成装置に関する。
【背景技術】
【０００２】
従来、電子写真方式による画像形成装置に搭載される現像装置として、キャリアとトナーとからなる２成分現像剤にて感光体上に形成された静電潜像を現像するものが知られている。そして、近年では、少量のキャリアを混入したトナーからなる現像剤を、トナーの消費量に応じて現像槽に補給し、かつ、現像槽に溜まった一定量の現像剤を排出するトリクル方式と呼ばれる現像装置が提案されている。
【０００３】
ところで、トリクル方式の現像装置では、現像される画像の品質を一定に保つため、現像槽内の現像剤を一定量に維持することが重要である。そこで、トリクル方式の現像装置では、現像槽において現像剤を搬送するスクリューに、現像剤に対して搬送方向の圧力を加える羽根、及び現像剤に対して搬送方向とは逆方向の圧力を加える羽根を設けている。これらの圧力バランスにより、現像槽内を循環する現像剤の量及び現像槽から排出される現像剤の量を調節し、現像槽内の現像剤を一定量に維持している。ただし、プリント速度の高速化などにより現像剤を搬送するスクリューの回転速度が速くなった場合、上記の圧力バランスが崩れ、多量の現像剤が排出されるなどの不具合が生じる。この不具合に対応するため、特許文献１に記載の現像装置（以下で、従来の現像装置と称す）では、現像剤を排出するための排出口付近にシャッタ機構を設けて、現像剤の排出量を調節している。
【先行技術文献】
【特許文献】
【０００４】
【特許文献１】特開平１０−１８６８２９号公報
【発明の概要】
【発明が解決しようとする課題】
【０００５】
しかし、従来の現像装置のようにシャッタ機構を採用すると、シャッタ機構の近傍で現像剤が対流し、該現像剤が排出口周辺を塞いでしまうなどの不具合を生ずる虞がある。また、シャッタ機構自体が複雑であるため、現像装置の大型化やコストアップを招来する。
【０００６】
本発明の目的は、従来の現像装置と比較してより簡素な構成により、現像槽内の現像剤の量を適切に維持することを可能とする現像装置及びこれを備えた画像形成装置を提供することである。
【課題を解決するための手段】
【０００７】
本発明の第１の形態である現像装置は、
トナーとキャリアからなる現像剤を用いて像担持体上の静電潜像を現像し、トナーの消費量に応じて現像剤を補給し、かつ、劣化した現像剤を排出する現像装置であって、
前記現像剤を搬送しつつ、該現像剤の一部を排出口から排出する第１の循環槽と、
前記第１の循環槽と隔壁で仕切られ、該隔壁に設けられた第１の開口部を通して該第１の循環槽から搬送される現像剤、及び補給口から補給される現像剤を該隔壁に設けられた第２の開口部を通して該第１の循環槽に搬送することで該第１の循環槽と循環経路を形成する第２の循環層と、
前記現像剤を搬送するために前記第１の循環槽に設けられた第１のスクリューと、
前記現像剤を搬送するために前記第２の循環槽に設けられた第２のスクリューと、
を備え、
前記第１のスクリューにおける前記第１の開口部より搬送方向上流側の羽根は、前記現像剤に対して搬送方向の力を付与し、
前記第１のスクリューにおける前記第１の開口部近傍には羽根のない部分が存在し、
前記第１のスクリューにおける前記羽根がない部分よりも搬送方向下流側であって、該羽根が無い部分と隣接する部分には、前記現像剤に対して搬送方向と逆方向の力を付与する羽根があり、
前記排出口は、前記第１の循環槽において、前記逆方向の力を付与する羽根よりも搬送方向下流側に位置し、
前記第１の循環槽における前記逆方向の力を付与する羽よりも搬送方向下流側の領域は、該搬送方向と直交する方向において前記第２の循環槽と連通していないこと、
を特徴とする。
【０００８】
本発明の第２の形態である画像形成装置は、
前記現像装置を備えること、
を特徴とする。
【０００９】
本発明に係る現像装置では、第１のスクリューにおける第１の開口部近傍には羽根がないため、現像剤を搬送するスクリューの回転速度が速い場合であっても、搬送される現像剤に過大な圧力が加わることが抑制される。その結果、排出口から多量の現像剤が排出されることが抑制される。また、現像剤を搬送するスクリューの回転速度が遅い場合、第１のスクリューにおける第１の開口部近傍には羽根がないため、第２の循環槽へ向かった現像剤の一部が第１の循環槽に押し戻され排出口へと向かう。その結果、現像剤を搬送する第１のスクリューの回転速度が遅い場合であっても、排出口から適正な量の現像剤が排出される。
【発明の効果】
【００１０】
本発明によれば、従来の現像装置と比較してより簡素な構成により、現像槽内の現像剤の量を適切に維持することができる。
【図面の簡単な説明】
【００１１】
【図１】一実施例である現像装置を備えた画像形成装置の内部構造を示す概略図である。
【図２】一実施例である現像装置の現像ローラ周辺を、該現像装置が有する供給スクリューの中心軸と平行な方向から見た断面図である。
【図３】一実施例である現像装置の現像槽を、該現像装置が有する供給スクリューの中心軸と直交する方向から見た断面図である。
【図４】比較例である現像装置の現像槽を、該現像装置が有する供給スクリューの中心軸と直交する方向から見た断面図である。
【図５】比較例である現像装置の現像槽を、該現像装置が有する供給スクリューの中心軸と直交する方向から見た断面の概略図であり、該供給スクリューが高速回転時の現像剤の搬送状態を示す図である。
【図６】比較例である現像装置の供給スクリューの回転数と該現像装置内を循環する現像剤の量との関係を示すグラフである。
【図７】比較例である現像装置の現像槽を、該現像装置が有する供給スクリューの中心軸と直交する方向から見た断面の概略図であり、該供給スクリューが低速回転時の現像剤の搬送状態を示す図である。
【図８】一実施例である現像装置の現像槽を、該現像装置が有する供給スクリューの中心軸と直交する方向から見た断面の概略図であり、該供給スクリューが高速回転時の現像剤の搬送状態を示す図である。
【図９】一実施例である現像装置の供給スクリューの回転数と該現像装置内を循環する現像剤の量との関係を示すグラフである。
【図１０】一実施例である現像装置の現像槽を、該現像装置が有する供給スクリューの中心軸と直交する方向から見た断面の概略図であり、該供給スクリューが低速回転時の現像剤の搬送状態を示す図である。
【図１１】変形例である現像装置の現像ローラ周辺を、該現像装置が有する供給スクリューの中心軸と直交する方向から見た断面図である。
【発明を実施するための形態】
【００１２】
（画像形成装置の概略構成、図１参照）
以下、一実施例である現像装置及びこれを備える画像形成装置について、添付図面を参照して説明する。各図においては、同じ部材、部分について共通する符号を付し、重複する説明は省略する。
【００１３】
図１に示す画像形成装置１は、タンデム方式の電子写真プリンタであり、Ｙ（イエロー），Ｍ（マゼンタ），Ｃ（シアン），Ｋ（ブラック）の各色のトナー画像を形成するためのイメージングユニット１０（１０ｙ，１０ｍ，１０ｃ，１０ｋ）と、中間転写ユニット２０にて構成されている。また、中間転写ユニット２０の上部には、イメージングユニット１０にトナーを補給するホッパー１５（１５ｙ，１５ｍ，１５ｃ，１５ｋ）が設けられている。
【００１４】
イメージングユニット１０は、それぞれ、感光体ドラム１１を中心として帯電チャージャ１２、現像装置４０などを配置したもので、レーザー走査光学ユニット１４から照射される光によってそれぞれの感光体ドラム１１上に描画される静電潜像を現像装置４０で現像して各色のトナー画像を形成する。中間転写ユニット２０は、矢印Ｗ方向に無端状に回転駆動される中間転写ベルト２１を備え、各感光体ドラム１１と対向する１次転写ローラ２２から付与される電界により、各感光体ドラム１１上に形成されたトナー画像を中間転写ベルト２１上に１次転写して合成する。なお、このような電子写真法による画像形成プロセスは周知であり、詳細な説明は省略する。
【００１５】
装置本体の下部には、被転写材（以下、用紙と称する）を１枚ずつ給紙する自動給紙ユニット３０が配置され、用紙は図示しない給紙ローラからタイミングローラ対３１を経て、中間転写ベルト２１と２次転写ローラ２５とのニップ部に搬送され、２次転写ローラ２５から付与される電界にてトナー画像（合成カラー画像）が２次転写される。その後、用紙は定着ユニット３５に搬送されてトナーの加熱定着を施され、装置本体の上面に配置されたトレイ部２に排出される。なお、本実施例では、ブラックのイメージユニット１０ｋが備える現像装置４０に本発明を適用しているが、残りのイメージユニット１０ｙ，１０ｍ，１０ｃに本発明を適用可能であることは言うまでもない。
【００１６】
（現像装置の構成  図２及び図３参照）
一実施例である現像装置４０は、キャリアとトナーとからなる２成分現像剤を使用するものであり、余剰な現像剤を排出しつつ、ホッパー１５から現像剤を補給する。そして、現像装置４０は、図２に示すように、ケーシング４２内に、現像ローラ４４、供給スクリュー４６及び攪拌スクリュー４８をそれぞれ平行な状態で設けたものである。なお、以下で、現像ローラ４４、供給スクリュー４６及び攪拌スクリュー４８が延在する方向をｘ軸方向と定義する。また、ｘ軸方向及び鉛直方向と直交する方向をｙ軸方向と定義する。
【００１７】
現像ローラ４４は、複数の磁極を有する磁石（図示せず）を内蔵したスリーブ状をなし、感光体ドラム１１と僅かな間隔を保持して回転駆動される。そして、現像ローラ４４の下部には現像槽５０が設けられている。現像槽５０は、図３に示すように、ｘ軸方向に延在する容器であり、ｘ軸方向に延在する隔壁５６により、循環槽５２及び循環槽５４の２つの槽に分けられる。なお、隔壁５６のｘ軸方向の負方向側の端部には開口部５８が設けられ、ｘ軸方向の正方向側の端部近傍には開口部６０が設けられている。
【００１８】
循環槽５２は、現像ローラ４４に現像剤を供給するとともに、現像を終えた残りの現像剤を回収するための空間である。従って、循環槽５２のｘ軸方向の正方向側の端部には、現像を終えた残りの現像剤を排出するための排出口６６が配置されている。
【００１９】
循環槽５４は、循環槽５２と隔壁５６を隔てて平行に隣接する空間であり、現像槽５０を循環する現像剤と、循環槽５４に設けられた補給口６８から補給される現像剤とを攪拌混合するための空間である。
【００２０】
そして、循環槽５２には供給スクリュー４６が設けられ、循環槽５４には攪拌スクリュー４８が設けられている。供給スクリュー４６及び攪拌スクリュー４８は、ｘ軸方向に延在する円柱状の回転軸の外周面に螺旋状の羽根が設けられた形状を成し、現像剤の搬送を担っている。
【００２１】
供給スクリュー４６は、３つの部分に分けられる。供給スクリュー４６におけるｘ軸方向の負方向側の端部から正方向側の端部近傍、かつ、開口部６０のｘ軸方向の中点ｃ１よりもｘ軸方向の負方向側までの部分４６ａには、現像剤をｘ軸方向の正方向側に向かって搬送するための羽根Ｗ１が設けられている。また、羽根Ｗ１が設けられた部分４６ａに隣接する開口部６０の近傍には、羽根が設けられていない部分４６ｂがある。さらに、これに隣接するｘ軸方向の正方向側には、羽根Ｗ１と逆巻きの羽根Ｗ２が設けられた部分４６ｃがある。ここで、開口部６０の範囲は、羽根Ｗ１が設けられた部分４６ａのｘ軸方向の正方向側の端部と重なる位置から、羽根Ｗ２が設けられた部分４６ｃのｘ軸方向の正方向側の端部にまで及ぶ。なお、羽根Ｗ１が設けられた部分４６ａのスクリュー径ｄ１と羽根Ｗ２が設けられた部分４６ｃのスクリュー径ｄ２は同じであり、羽根Ｗ１のピッチＰ１は、羽根Ｗ２のピッチＰ２よりも大きい。さらに、ｘ軸方向における羽根が設けられていない部分４６ｂの長さＬ１は、羽根４６ａのピッチＰ１より小さく、羽根４６ｃのピッチＰ２の半分よりも大きい。
【００２２】
攪拌スクリュー４８は、上述の通り循環槽５４に設けられている。また、攪拌スクリュー４８は、その全域に亘って羽根が設けられており、現像槽５０内の現像剤の循環と、循環槽５４に設けられた補給口６８から補給される現像剤の攪拌及び搬送を担っている。本実施例では、攪拌スクリュー４８は、現像剤をｘ軸方向の負方向側に搬送する。
【００２３】
以上のような構成を備えた現像装置４０の現像槽５０では、循環槽５２にて供給スクリュー４６によりｘ軸方向の正方向側に搬送された現像剤が、開口部６０を通り攪拌槽５４に進入する。攪拌槽５４に進入した現像剤は、攪拌スクリュー４８によりｘ軸方向の負方向側に搬送され、開口部５８から循環槽５２に戻る。このように、現像剤は、循環槽５２における開口部５８から開口部６０までの区間、及び循環槽５４における開口部６０から開口部５８までの区間を循環する。
【００２４】
また、循環槽５２内の現像剤による圧力が所定の値を超えると、循環槽５２内を搬送される現像剤の一部は、開口部６０から循環槽５４に進入せず、供給スクリュー４６の羽根Ｗ２を越えて循環槽５２のｘ軸方向の正方向側の端部に向かう。そして、循環槽５２のｘ軸方向の正方向側の端部に向かった現像剤は排出口６６から、現像装置４０の外へと排出される。なお、循環槽５２における排出口６６が設けられた部分、つまり、循環槽５２における供給スクリュー４６の羽根Ｗ２よりもｘ軸方向の正方向側の領域は、循環槽５４とｙ軸方向で連通していない。
【００２５】
（効果）
一実施例である現像装置４０及びこれを備える画像形成装置１は、現像槽内の現像剤の量を適切に維持することが可能である。以下で、従来の現像装置からシャッタ機構を取り除いた現像装置１００を比較例として、具体的に説明する。なお、図６及び図９は、供給スクリュー４６の回転数と現像装置内を循環する現像剤の量との関係を示すグラフである。図６及び図９において、縦軸は現像装置内を循環する現像剤の量を示し、横軸はスクリュー４６の回転数を示している。また、図６及び図９における実線は、現像剤が排出されにくい方向に現像槽５０が傾いた場合を示し、破線は、現像剤が排出されやすい方向に現像槽５０が傾いた場合を示している。
【００２６】
比較例である現像装置１００と一実施例である現像装置４０とは、供給スクリュー４６の形状が異なる。現像装置１００における供給スクリュー４６では、図４に示すように、現像装置４０の供給スクリュー４６において羽根が設けられていなかった開口部６０の近傍にも、現像剤をｘ軸方向の正方向側に向かって搬送するための羽根Ｗ１が設けられている。このような構成を備える現像装置１００では、供給スクリュー４６の回転速度が速い場合、図５に示すように、供給スクリュー４６から現像剤に対して過大な圧力が加わり、現像槽５０から排出される現像剤の量が現像槽５０に補給される現像剤の量を上回る。結果として、図６に示すように、現像槽５０を循環する現像剤の量が急激に減少する。ただし、供給スクリュー４６の回転速度が遅い場合、供給スクリュー４６に設けられた羽根Ｗ１から現像剤に加えられる圧力は、これと逆方向の圧力を現像剤に対して加える羽根Ｗ２と適度なバランスを保つ。さらに、図７に示すように、供給スクリュー４６によって現像剤に対して与えられる循環槽５２から循環槽５４に向かう圧力と、攪拌スクリュー４８によって現像剤に対して与えられる循環槽５４から循環槽５２に戻ろうとする圧力が拮抗する。以上により、現像槽５０からは適切な量の現像剤が排出されるに留まり、現像槽５０内を循環する現像剤が減少することはない。一方、一実施例である現像装置４０では、供給スクリュー４６の回転速度が速い場合、供給スクリュー４６における開口部６０近傍には羽根がないため、図８に示すように、搬送される現像剤に過大な圧力が加わることが抑制される。その結果、排出口６６から多量の現像剤が排出されることが抑制される。結果として、現像装置４０では、図９に示すように、供給スクリュー４６の回転速度が速い場合であっても、現像槽５０内を循環する現像剤が著しく減少することが抑制される。また、供給スクリュー４６の回転速度が遅い場合、供給スクリュー４６における第１の開口部近傍には羽根がないため、図１０に示すように、循環槽５４へ向かった現像剤の一部が循環槽５２に押し戻され排出口６６へと向かう。従って、一実施例である現像装置４０では、現像剤を搬送する供給スクリュー４６の回転速度が遅い場合、供給スクリュー４６の羽根Ｗ１による現像剤を搬送する力は、現像装置１００における供給スクリュー４６の羽根Ｗ１よりも弱いものの、循環槽５４へ向かった現像剤の一部が循環槽５２に押し戻され排出口６６へと向かうため、排出口６６から適正な量の現像剤が排出される。以上より、一実施例である現像装置４０では、供給スクリュー４６の回転数に関わらず、現像槽５０内の現像剤の量を適切に維持することが可能である。
【００２７】
また、一実施例である現像装置４０では、供給スクリュー４６の一部に羽根を設けないことで、現像槽５０内の現像剤の量を適切に維持している。この構造は、現像槽にシャッタ機構を採用する従来の現像装置と比較して、極めて簡素な構造である。しかも、この簡素な構造により、シャッタ機構を採用した際に発生し得る不具合、例えば、現像剤が排出口周辺を塞いでしまうなどの不具合を抑制することができる。
【００２８】
さらに、一実施例である現像装置４０では、循環槽５２における排出口６６が設けられた部分が、ｙ軸方向において循環槽５４と連通していない。これにより、供給スクリュー４６の羽根Ｗ２を越えて排出口６６に向かった現像剤が、循環槽５４に流入することが防止される。
【００２９】
（変形例  図１１参照）
変形例である現像装置４０Ａと一実施例である現像装置４０との相違点は、隔壁５６に設けられた開口部６０の範囲である。具体的には、図１１に示すように、変形例である現像装置４０Ａの開口部６０の範囲は、羽根Ｗ１が設けられた部分４６ａのｘ軸方向の正方向側の端部と重なる位置から、羽根Ｗ２が設けられた部分４６ｃのｘ軸方向の負方向側の端部までである。
【００３０】
以上のように構成された現像装置４０Ａにおける開口部６０の範囲は、一実施例である現像装置４０における開口部６０よりも狭い。そして、開口部６０の範囲が狭まったことで、羽根Ｗ２が設けられた部分４６ｃは、循環槽５４と仕切られた状態になる。これにより、羽根Ｗ２による現像剤をｘ軸方向の負方向側へ押し返す圧力が循環槽５４へ分散されることが抑制され、現像槽５０における現像剤の循環が適正化される。
【００３１】
（他の実施例）
本発明に係る現像装置及び画像形成装置は前記実施例に限定するものではなく、その要旨の範囲内で種々に変更することができる。例えば、開口部の形状や各スクリューに設けられた羽根の詳細な形状等は任意である。
【産業上の利用可能性】
【００３２】
以上のように、本発明は、２成分現像剤を用い、該現像剤を随時補給及び排出する現像装置及び該現像装置を備える画像形成装置に有用であり、特に、従来の現像装置と比較してより簡素な構成により、現像槽内の現像剤の量を適切に維持することができる点で優れている。
【符号の説明】
【００３３】
ｄ１、ｄ２  スクリュー径
Ｐ１，Ｐ２  ピッチ
Ｗ１，Ｗ２  羽根
１  画像形成装置
４０  現像装置
４６  供給スクリュー（第１のスクリュー）
４６ａ  羽根Ｗ１が設けられた部分（搬送方向の力を付与する羽根が設けられ部分）
４６ｂ  羽根がない部分
４６ｃ  羽根Ｗ２が設けられた部分（羽根がない部分と隣接する部分）
４８  攪拌スクリュー（第２のスクリュー）
５２  循環槽（第１の循環槽）
５４  循環槽（第２の循環槽）
５６  隔壁
５８  開口部（第２の開口部）
６０  開口部（第１の開口部）
６６  排出口
６８  補給口
【図１】
2016053669.tif 000003
【図２】
2016053669.tif 000004
【図３】
2016053669.tif 000005
【図４】
2016053669.tif 000006
【図５】
2016053669.tif 000007
【図６】
2016053669.tif 000008
【図７】
2016053669.tif 000009
【図８】
2016053669.tif 000010
【図９】
2016053669.tif 000011
【図１０】
2016053669.tif 000012
【図１１】
2016053669.tif 000013